(57)【要約】【課題】構成部品点数が少なく、強度が高い角度付アバットメントを提供するとともに、歯並びや噛み合わせに容易に適応可能で、かつ、安定した歯科インプラントにおける療法を提供することが可能な角度付アバットメント、インプラント及び歯科用インプラントを提供すること。【解決手段】角度付アバットメント２は、フィクスチャー３に螺合する第１のネジ部２１と所定の傾斜角度で形成されるとともに義歯構造体３が設けられる傾斜突出部２０とを一体に形成し、さらには、第１のネジ部２１に形成されるネジ溝２３の切り初め位置と、フィクスチャー３に形成されて第１のネジ部２１と螺合する第２のネジ部３３のネジ溝３４の切り初め位置とを相互に異なる位相で形成することで、上記課題を解決する。【選択図】                図３
2005052175.tif 000002
【特許請求の範囲】
【請求項１】
歯根として顎骨等に固定されるフィクスチャーと、前記フィクスチャーに螺設する角度付アバットメントとを備える歯科用インプラントにおいて、
前記角度付アバットメントは、前記フィクスチャーに螺合する第１のネジ部と所定の傾斜角度で形成されるとともに義歯構造体が設けられる傾斜突出部とが一体に形成され、
前記第１のネジ部に形成されるネジ溝の切り初め位置と、前記フィクスチャーに形成されて前記第１のネジ部と螺合する第２のネジ部のネジ溝の切り初め位置とが、相互に異なる位相で形成されることを特徴とする歯科用インプラント。
【請求項２】
請求項１記載の歯科用インプラントにおいて、前記位相は、前記傾斜突出部の傾斜突出方向を基準に形成されることを特徴とする歯科用インプラント。
【請求項３】
請求項１又は２記載の歯科用インプラントにおいて、前記角度付アバットメントには、前記位相に対応する位相目印部が設けられることを特徴とする歯科用インプラント。
【請求項４】
請求項１〜３いずれか記載の歯科用インプラントにおいて、前記フィクスチャーには、前記位相に対応する位相目印部が設けられることを特徴とする歯科用インプラント。
【請求項５】
請求項１〜４いずれか記載の歯科用インプラントにおいて、前記位相は、１５°〜４５°の範囲で形成されることを特徴とする歯科用インプラント。
【発明の詳細な説明】
【０００１】
【発明の属する技術分野】本発明は、インプラント（義歯装着法の一種である人工歯根療法）に用いる歯科用インプラントに係る技術分野に属する。
【０００２】
【従来の技術】従来、歯科用インプラントは、歯根として顎骨等に固定されるフィクスチャーと、フィクスチャーに螺設するアバットメントと、アバットメントに固定される義歯構造体とからなり、義歯装着法の一種である人工歯根療法として用いられ、療法としては、顎骨等にフィクスチャーを固定する処置を行い、フィクスチャーの固定を強固にしてアバットメントを取付けて、さらにアバットメントに対して義歯構造体を取付ける。したがって、入れ歯等における「すべり」、「ずれ」などがなく、手入れが容易となる等の利点から、多くの症例と症例に伴う様々なフィクスチャー、アバットメント等が開発されている。
【０００３】
特に、歯科用インプラントは、フィクスチャーの固定と、フィクスチャーに固定されるアバットメントの固定位置が確実に行われないと、顎骨や歯肉等の炎症を引き起こし、義歯構造体の歯並びや噛み合わせに不具合が生じる恐れがある。また、フィクスチャーを固定する顎骨等の状態（脆く、痩せ過ぎている等）によっては、フィクスチャーの固定の困難性とともに、アバットメントの取付において、フィクスチャーの固定を危うくさせる可能もあり（患者等の健康状態、特に、顎骨等の状態によって、アバットメントを数回に渡り着脱させる作業が生じる可能性があり、フィクスチャーの固定を危うくさせる可能性がある）、歯並びや噛み合わせ等の調整作業が非常に困難となるケースが少なくない。
【０００４】
さらには、フィクスチャーは、顎骨等に固定される際、神経を回避して埋設しなければならず、フィクスチャーを顎骨等に略垂直方向に埋設することができないケースがあり、特に、前歯においては、噛み合わせに応じて歯の突出方向を内側にしなければならないため、角度付のアバットメントの必要性が増している。
【０００５】
そこで、特許文献１に記載の歯科用インプラントには、アバットメントに玉継手手段を設けて、フィクスチャーにアバットメントを固定した後に、患者の歯並びに適したアバットメントの取付け角度を設定することが可能な技術が開示されている。
【０００６】
特許文献２には、予め傾斜角を有するアバットメントシリンダーを形成し、該アバットメントシリンダーをフィクスチャーに固定し、さらに、アバットメントシリンダーを介して義歯用支軸が取付けられる技術が開示されている。
【０００７】
【特許文献１】
特開昭６４−８９６３号公報
【特許文献２】
登録実用新案第３０１２７９１号公報
【０００８】
【発明が解決しようとする課題】しかしながら、特許文献１、２に記載の従来のアバットメントは、歯並びや噛み合わせ調整を鑑み、アバットメントに傾斜角を設けるように構成されているが、傾斜角を設けるあまり構成部品点数が多く、複雑な形状であることから、十分な強度を保つことができず、アバットメントが破損する等の課題を有している。
【０００９】
特に、アバットメントには、噛む力（モーメント等）が作用するため、構成部品点数が多いと、部品間の強度が低下し、破損してしまう課題を有する。
【００１０】
さらには、構成部品点数が多いことにより、製作コストが高くなり、取付作業等が複雑となることから、歯科用インプラントにおける療法の安定性の低下や治療費等の高騰を招く恐れがある。また、衛生面からは、構成部品点数が多く存在するため、雑菌の繁殖床（口臭等の原因）となる課題も有している。
【００１１】
さらには、特許文献２に記載の傾斜角を有するアバットメントの場合、義歯構造体が設けられるアバットメントの取付方向（傾斜する部分が内側又は外側等の方向に位置する等）を患者の歯並びや噛み合わせに応じて取付固定するためには、フィクスチャーの固定位置と、フィクスチャーの形成されているネジ孔から精密な計算が必要になり、精度、療法の安定性が低くなってしまう。
【００１２】
また、特許文献１の玉継手手段によるアバットメントの傾斜角度や取付方向を調整においても、医師等が手作業でアバットメントの角度調整を行うとともに、アバットメントの取付方向の調整を行わなければならず、一定の安定した歯科インプラントにおける療法を提供することは困難である課題を有し、特に、任意の角度においてアバットメントを固定する際、固定による力の作用により任意に設定したアバットメントの角度、取付方向がずれてしまう可能性があり、正確なアバットメントの取付を提供することは難しいという課題を有する。
【００１３】
本発明は、このような課題、問題点を考慮してなされたもので、構成部品点数が少なく、強度が高い角度付アバットメントを提供するとともに、歯並びや噛み合わせに容易に適応可能で、かつ、インプラントにおける安定した療法を提供することが可能な歯科用インプラントを提供することを課題とする。
【００１４】
【課題を解決するための手段】前述の課題を解決するため、本発明に係る歯科用インプラントは、次のような手段を採用する。
【００１５】
即ち、請求項１では、歯根として顎骨等に固定されるフィクスチャーと、前記フィクスチャーに螺設する角度付アバットメントとを備える歯科用インプラントにおいて、前記角度付アバットメントは、前記フィクスチャーに螺合する第１のネジ部と所定の傾斜角度で形成されるとともに義歯構造体が設けられる傾斜突出部とが一体に形成され、前記第１のネジ部に形成されるネジ溝の切り初め位置と、前記フィクスチャーに形成されて前記第１のネジ部と螺合する第２のネジ部のネジ溝の切り初め位置とが、相互に異なる位相で形成されることを特徴とする。
【００１６】
この手段では、角度付アバットメントに設けられる第１のネジ部に形成されるネジ溝の切り初め位置が、フィクスチャーに形成される第２のネジ部のネジ溝の切り初め位置に対して（又は、第２のネジ部におけるネジ溝の切り初め位置が第１のネジ部におけるネジ溝の切り初め位置に対して）位相して形成（ネジ位相が形成）されるため、歯根として顎骨等に固定されるフィクスチャーに対して角度付アバットメントを固定（螺設）する際、フィクスチャーの固定箇所や状態（前歯、奥歯、フィクスチャーの固定位置や向き）に応じ、傾斜突出部の任意の傾斜突出方向での固定を提供することが可能となる（予め位相が異なる第１のネジ部を有する角度付アバットメントを複数形成することで、フィクスチャーに固定されている箇所や状態を見極めながら、患者等に適合する傾斜突出部の傾斜突出方向での固定を可能とさせる）。
【００１７】
さらに、第１のネジ部と傾斜突出部が一体に形成されるため、角度付アバットメントに加わる応力（曲げ応力、せん断応力等のモーメント）に対する強度が維持、向上されるとともに、角度付アバットメントをフィクスチャーに固定する際の傾斜突出部の傾斜突出方向の調整は、所定の位相を備える複数の角度付アバットメントの選択により行うことが可能となるため、第１のネジ部と傾斜突出部とを別々に構成する必要性（傾斜突出部の傾斜突出方向調整のため、ネジ部と傾斜突出部とを別々の構成にする必要性）が排除される。
【００１８】
また、請求項２では、請求項１記載の歯科用インプラントにおいて、前記位相は、前記傾斜突出部の傾斜突出方向を基準に形成されることを特徴とする。
【００１９】
この手段では、第１のネジ部に形成されるネジ溝の切り初め位置と、第２のネジ部のネジ溝の切り初め位置とが相互に異なるよう位相を形成する際に、傾斜突出部の傾斜突出方向を基準とすることで、患者等に適合する傾斜突出部の傾斜突出方向を確実かつ容易な位相の選定を可能とさせる。
【００２０】
また、請求項３では、請求項１又は２記載の歯科用インプラントにおいて、前記角度付アバットメントには、前記位相に対応する位相目印部が設けられることを特徴とする。
【００２１】
この手段では、第１のネジ部又は第２のネジ部に対するネジ溝の切り始め位置の位相に対応する位相目印部が角度付アバットメントに備えられるため、角度付アバットメントの傾斜突出部の傾斜突出方向の選択・調整が助成される。
【００２２】
また、請求項４では、請求項１〜３いずれか記載の歯科用インプラントにおいて、前記フィクスチャーには、前記位相に対応する位相目印部が設けられることを特徴とする。
【００２３】
この手段では、第１のネジ部又は第２のネジ部に対するネジ溝の切り始め位置の位相に対応する位相目印部がフィクスチャーに備えられるため、角度付アバットメントの傾斜突出部の傾斜突出方向の選択・調整が助成される。
【００２４】
また、請求項５では、請求項１〜４いずれか記載の歯科用インプラントにおいて、前記位相は、１５°〜４５°の範囲で形成されることを特徴とする。
【００２５】
この手段では、角度付アバットメントの傾斜突出部の傾斜突出方向の選択・調整の幅が広がり、患者等に適合性が向上される。
【００２６】
【発明の実施の形態】以下、本発明に係る角度付アバットメント、フィクスチャー及び歯科用インプラントの実施の形態を図１〜図１２に基づいて説明する。
【００２７】
図１〜図６は、本発明に係る角度付アバットメント２及び歯科用インプラント１の実施の形態（１）を示す。
【００２８】
この実施の形態（１）の歯科用インプラント１は、角度付アバットメント２と、フィクスチャー３と、義歯構造体４とで構成されている。
【００２９】
角度付アバットメント２は、フィクスチャー３に螺設される第１のネジ部２１と、第１のネジ部２１に一体に形成され、かつ、フィクスチャー３から突出して所定の傾斜角度で形成される傾斜突出部２０とで構成されている。
【００３０】
第１のネジ部２１は、後述するフィクスチャー３に螺設可能な径に形成されるとともにネジ溝２３が形成され、ネジ溝２３と傾斜突出部２０との間には逃げ部２４が形成されている。さらに、フィクスチャー３に当接する取付面２５が形成される構成となっている。
【００３１】
傾斜突出部２０は、取付面２５に対して所定の傾斜角度で形成されるとともに、フィクスチャー３に当接する当接面２６が設けられ、軽量化等を目的としたＤカット（Ｄカット部２７）が施されている。
【００３２】
フィクスチャー３は、歯肉２００の下部の骨（顎骨）に埋設される結合固定部３１と、結合固定部３１に形成されて骨への埋設を螺設にて行うための埋設ネジ部３２と、角度付アバットメント２の取付面２５に当接する取付面３５と、傾斜突出部２０の当接面２６に当接するテーパ面３６を有するテーパ部３７と、テーパ面３６の内側に角度付アバットメント２の第１のネジ部２１が螺合する第２のネジ部３３とで構成され、第２のネジ部３３には、ネジ溝３４が形成されて第１のネジ部２１と第２のネジ部３３とが螺設可能となっている。
【００３３】
義歯構造体４は、角度付アバットメント２がフィクスチャー３に固定された後に傾斜突出部２０に取付固定される構造体であり、角度付アバットメントへの取付固定は、ネジ又は固着剤（接着剤）等により行われる。
【００３４】
第１のネジ部２１及び第２のネジ部３３は、雄ネジ、雌ネジの関係を有しており、この実施の形態（１）では、第１のネジ部２１が雄ネジ、第２のネジ部３３が雌ネジとなっている。
【００３５】
このように構成される歯科用インプラント１は、図２に示すように、顎骨等にフィクスチャー３を固定する処置後に、角度付アバットメント２を上方からフィクスチャー３に螺設するように回転させて固定し、固定された角度付アバットメント２の傾斜突出部２０に義歯構造体３をネジ又は固着剤等で取付固定することで、患者等に施される。
【００３６】
次に、図３〜図５において、第１のネジ部２１に形成されるネジ溝２３の切り初め位置と、第２のネジ部３３のネジ溝３４の切り初め位置とが、相互に異なる位相で形成されるネジ位相について説明する。
【００３７】
角度付アバットメント２の第１のネジ部２１の位相は、ネジ溝２３の切り始め位置の相違により形成される。例えば、図３に示すように、第１のネジ部２１のネジ溝２３と第２のネジ部３３のネジ溝３４の切り始め位置を互いにＡ１とする。第２のネジ部３３のネジ溝３４の切り始め位置をＡ１のままにして、第１のネジ部２１のネジ溝２３の切り始め位置をＡ２、Ａ３、・・・Ａ８と位相させてネジ溝２３を形成する。
【００３８】
ネジ溝２３の切り始め位置がＡ１の角度付アバットメント２をフィクスチャー３に螺合する場合、傾斜突出部２０の傾斜突出方向がＡ１方向となり、ネジ溝２３の切り始め位置がＡ５の角度付アバットメント２をフィクスチャー３に螺合する場合は、切り始め位置Ａ１とは１８０°位相したＡ５方向に傾斜突出部２０が位置することになる。このように、第１のネジ部２１の切り始め位置がＡ１〜Ａ８と異なる角度付アバットメントを複数形成することで、任意の傾斜突出方向の選択と調整が行われる。
【００３９】
このようなネジ溝の切り始め位置の位相は、ＮＣ旋盤等で所定の基準位置を設定し、図３のように、ネジ溝の切り始め位置を所定角度回転させて形成することができ、このネジ位相の形成の際は、傾斜突出部２０の傾斜突出方向を基準とすることが望ましく、例えば、傾斜突出部２０の傾斜突出方向の切り始め位置をＡ１として傾斜突出方向から角度θ毎に切り始め位置を順次位相させ、Ａ１〜Ａ８までの位相の形成する。
【００４０】
また、上述の位相をネジ溝２３のピッチを用いて詳細に説明する。図４に示すように、傾斜突出部２０の傾斜突出方向側の取付面２５を基準面２５ａとし、傾斜突出方向側の基準面２５ａから所定の距離、例えば、ネジ切り開始位置から１ピッチ後の谷部Ｐ１までの位相距離ａを初期の切り始め位置とすれば、位相距離ａを調整（長く又は短く）することにより傾斜突出部２０の傾斜突出方向側に対応した位相（ネジ位相）を形成することができる。例えば、位相距離ａに対して、所定の距離までの谷部Ｐ２までの位相距離がａ１とすることで、フィクスチャー３への固定の際、傾斜突出部２０の傾斜突出方向が位相距離ａとは異なることになる。
【００４１】
なお、傾斜突出部２０の傾斜突出方向側とは逆の基準面２５ｂ（基準面２５ａとは逆側の基準面）を基準とした場合の位相は、基準面２５ａからの距離から１／２ピッチを差し引いた（足した）距離ａ２となるので、傾斜突出方向における基準面２５ａを位相距離の基準にするか否かで、位相距離の算定が異なってくるが、基準となる面（位置）を予め決定しておくことで、第２のネジ部３３のネジ溝３４の切り始め位置に対する正確な位相が形成される。なお、ＮＣ旋盤のコンピュータ制御等により、基準面２５ａ、２５ｂを基準とせずとも任意の初期の切り始め位置からの位相を形成することも可能である。
【００４２】
また、図５に示すように、基準面２５ａをフィクスチャー３のテーパ面３６と当接する当接面２６を基準にして位相を設計する場合には、当接面２６とテーパ面３６との接線Ｑ１、Ｑ２の交点Ｑから傾斜突出部２０の傾斜突出方向側における距離ａ１１を調整することにより任意の位相を形成することができ、図４の基準面２５ｂ同様に、傾斜突出方向側とは逆の距離を調整して位相を形成する場合は、傾斜突出方向側における距離から１／２ピッチを差し引いた（足した）距離ａ１２となる。
【００４３】
よって、図３に示すように、例えば、位相Ａ１を有する角度付アバットメント２の第１のネジ部２１に対して、１８０°の位相Ａ５を有する角度付アバットメント２は、第１のネジ部の基準面２５ａからの距離ａに１／２ピッチを足した距離ａ３となるようにネジ溝２３が形成される。
【００４４】
したがって、図６に示すように、歯並び等の関係から角度付アバットメント２の傾斜突出部２０における傾斜突出方向を各々異なるように取付固定することが可能となり、例えば、フィクスチャー３の固定において位相Ａ１が上方向とした場合、角度付アバットメント２Ａの第１のネジ部２１Ａの位相を基準線Ｒ１方向（傾斜突出部の傾斜突出方向を基準線Ｒ１方向）、角度付アバットメント２Ｂの位相を基準線Ｒ２方向、角度付アバットメント２Ｃの位相を基準線Ｒ３方向となるように複数の異なる位相が形成された角度付アバットメントから選択してフィクスチャー３に取付固定することで、歯並びに適合する傾斜突出方向を任意調整することが可能となる（例えば、角度付アバットメント２Ａの位相をＡ２、角度付アバットメント２Ｂの位相をＡ１、角度付アバットメント２Ｃの位相をＡ８と選択する）。
【００４５】
この実施の形態（１）によると、角度付アバットメント２の第１のネジ部２１に形成されるネジ溝２３の切り初め位置と、フィクスチャー３の第２のネジ部３３のネジ溝３４の切り初め位置とが、相互に異なる位相に形成されるため、歯根として顎骨等に固定されるフィクスチャーに対して傾斜突出部２０の任意の傾斜突出方向での固定を提供することが可能となる。したがって、第１のネジ部２１と傾斜突出部２０とを一体に成形することが可能となり（角度付アバットメント２をフィクスチャー３に固定する際の傾斜突出部２０の傾斜突出方向の調整は、所定の位相を備える複数の角度付アバットメント２の選択により行うことが可能となる）、角度付アバットメント２に加わる応力（曲げ応力、せん断応力等モーメント）に対する強度が維持、向上されるとともに、第１のネジ部２１と傾斜突出部２０とを別々に構成する必要性がなく、構成部品点数の低減され、かつ、角度付アバットメント２の損傷が防止される歯科用インプラント１が提供される。
【００４６】
さらに、角度付アバットメント２の第１のネジ部２１に設けられる位相により、第１のネジ部２１と傾斜突出部２０が一体に成形されることは、製作コストの低下及びインプラント療法の安定性を向上させるとともに、衛生面においても、雑菌等の進入要因（口臭等の原因）が低減する効果も奏される。
【００４７】
また、角度付アバットメント２の傾斜突出部２０の傾斜突出方向又は、傾斜突出方向側の基準面２５ａに対して位相Ａを設けることで、傾斜突出部２０の傾斜突出方向を目印に確実かつ容易に角度付アバットメントを選定することができ、確実なインプラント療法を提供できるとともに、角度付アバットメント２とフィクスチャー３とが当接する取付面２５、３５に対して位相が設けられるため、角度付アバットメント２がフィクスチャー３に螺設固定される際の傾斜突出部の傾斜突出方向が位相に対して一定に保たれ、安定した歯科用インプラント療法を提供することができる。
【００４８】
さらには、患者の歯並びや噛み合わせに応じた角度付アバットメント２の傾斜突出方向の調整が、位相の異なる第１のネジ部２１を有する角度付アバットメント２を選択することで容易に行え、取付固定時の精度が向上され、インプラント療法の安定性が増す効果も奏される。
【００４９】
また、図３において、第１のネジ部２１と第２のネジ部３３との位相をθ＝約４５°として説明しているが、位相は、θ＝約１５°〜約４５°の範囲で形成されることが望ましく、例えば、傾斜突出部２０の傾斜突出方向の微妙な調整が必要な場合には、θ＝約１５°で位相されている角度付アバットメントを選択することで容易に調整可能となる。したがって、患者等への適合性が向上される。
【００５０】
図７は、本発明に係る歯科用インプラントの実施の形態（２）を示すものである。
【００５１】
実施の形態（２）は、前述の実施の形態（１）の位相において、角度付アバットメント２の第２のネジ部２１の位相に対し、フィクスチャー３のネジ部３３に位相を設けて相互の異なる位相を形成する歯科用インプラントの実施形態である。
【００５２】
この実施の形態（２）のフィクスチャー３は、前述の実施の形態（１）と同様に、歯肉２００の下部の骨（顎骨）に埋設される結合固定部３１と、結合固定部３１に形成されて骨への埋設を螺設にて行うための埋設ネジ部３２と、角度付アバットメント２の取付面２５に当接する取付面３５と、当接面２６に当接するテーパ面３６を有するテーパ部３７と、テーパ面３６の内側に角度付アバットメント２の第１のネジ部２１が螺設される第２のネジ部３３とで構成されるとともに、所定のネジ溝３４の切り始め位置を表す目印部５０が設けられる。
【００５３】
第２のネジ部３３は、取付面３５及び目印部５０に対して所定の位相を備える。この位相は、前述の実施の形態（１）の角度付アバットメント２に設けられる位相と同様に形成される。例えば、図７に示すように、角度付アバットメント２の当接面２６が当接されるテーパ面３６を形成するテーパ部３７に目印部５０を設ける。この目印部５０は、凹凸、彩色等で形成することが望ましい。
【００５４】
したがって、位相を形成する際、角度付アバットメント２の傾斜突出部２０の傾斜突出方向側の基準面２５ａを基準としたように、この目印部５０側の取付面３５を基準とした位相を形成する（取付面３５から所定の距離、例えば、初期の切り初め位置から１ピッチ後の谷部までの位相距離ａ２０を初期の位相とすれば、位相距離ａ２０を調整（長く又は短く）することにより目印部５０側の取付面３５に対応した位相を形成することができる）。
【００５５】
この実施の形態（２）では、上述の実施の形態（１）同様に、患者等に適合する傾斜突出部２０の傾斜突出方向を確実かつ容易に選定するために、目印部５０側の取付面３５に対する位相を設けたが、コンピュータ制御のＮＣ旋盤等を用いることで、目印部５０側以外の取付面３５に対して位相を設けることも可能であり、前述の実施の形態（１）と同様に、第１のネジ部２１のネジ溝２３と第２のネジ部３３のネジ溝３４の切り始め位置を互いにＡ１とし、第１のネジ部２１のネジ溝２３の切り始め位置をＡ１のままにして、第２のネジ部３３のネジ溝３４の切り始め位置をＡ２、Ａ３、・・・Ａ８と位相させてネジ溝３４を形成するようにしてもよい。
【００５６】
この実施の形態（２）は、前述の実施の形態（１）とは逆に、第２のネジ部３３に形成されるネジ溝３４の切り初め位置が、第１のネジ部２１のネジ溝２３の切り初め位置に対し、位相させて形成しているので、前述の実施の形態（１）と同様の作用・効果が奏され、相互に異なる位相を形成する場合においても、第１のネジ部２１、第２のネジ部３３の両ネジ部に相互に異なる位相を形成すれば、両ネジ部の位相の組合せにより、複数の傾斜突出部の傾斜突出方向を設計でき、選択・調整の幅が広がる（フィクスチャー３の取付固定箇所に応じ、調整可能な傾斜突出方向の組合せ選択をする。例えば、フィクスチャー３の埋設が困難である場合、位相の基準となる初期の切り始め位置を所定の方向にできないこともあり、切り始め位置が互いに異なる複数の組合せにより選択・調整の幅が広がる）。
【００５７】
図８、９は、本発明に係る歯科用インプラントの実施の形態（３）を示すものである。
【００５８】
この実施の形態（３）は、前述の実施の形態（１）のフィクスチャー３のテーパ部３７に、角度付アバットメント２のネジ部２１に形成される位相に対応する複数の位相目印部Ｂを設ける実施形態である。
【００５９】
図８（ａ）に示すように、フィクスチャー３のテーパ部３７の上部に図４の各位相Ａ１〜Ａ８に対応する位相目印部Ｂ１〜Ｂ８が設けられている。この位相目印部Ｂは、凹凸、色付け等で形成することが望ましい。その他の構成は、前述の実施の形態（１）と同様である。
【００６０】
この実施の形態（３）によると、複数の異なる位相を有する角度付アバットメント２の選択が、位相目印部Ｂにより容易に行うことができる。例えば、図８（ｂ）に示すように、位相Ａ３を有する角度付アバットメント２をフィクスチャー３に仮螺合して、傾斜突出部２０の傾斜突出方向が患者に適合するかどうかを処方時に判断し、傾斜突出方向をさらに内側にしたい場合、位相目印部Ｂを目印にＢ４、Ｂ５、Ｂ６に対応する位相Ａ４、Ａ５、Ａ６が形成されている角度付アバットメントを選択することが可能となる。したがって、位相間の対応関係が明確になるので、異なる位相を有する角度付アバットメント２の選択とともに、角度付アバットメント２の傾斜突出方向の調整が容易とされる。
【００６１】
さらには、位相Ａ１〜Ａ８の各々の角度付アバットメント２に異なる色彩を施し、さらには、異なる色彩が施された角度付アバットメント２に対応させるように、該目印部Ｂ１〜Ｂ８に色彩を施すことで、上記角度付アバットメント２の選択、調整等が簡略化され、実際のインプラント療法の処理において、位相の混同を招く事無く治療可能とさせる。
【００６２】
また、図８（ｃ）に示すように、位相目印部Ｂは、フィクスチャー３の取付面３５に形成してもよく、角度付アバットメント２の螺設時に位相目印部Ｂが見えるように構成することで同様の効果を提供することが可能となる。なお。その他の作用・効果は、前述の実施の形態（１）と同様に奏され、図９に示すように、角度付アバットメント２の傾斜突出部２０に同様の位相目印部Ｃを設けることも可能であり、また、フィクスチャー３、角度付アバットメント２の双方に目印部を設けることも可能である。
【００６３】
図１０は、本発明に係る歯科用インプラントの実施の形態（４）を示すものである。
【００６４】
この実施の形態（４）は、前述の実施の形態（１）の角度付アバットメント２とフィクスチャー３との取付固定構造が異なる実施形態である。
【００６５】
実施の形態（４）歯科用インプラント１ａは、角度付アバットメント２ａ、フフィクスチャー３ａ、義歯構造体４とで構成される。
【００６６】
角度付アバットメント２ａ、フィクスチャー３ａは、前述の実施の形態（１）と同様に構成されるが、角度付アバットメント２ａとフィクスチャー３ａは、当接面２６とテーパ面３６とによる当接部位を形成せずに、取付面２５と取付面３５とが当接して取付固定される構造となっている。
【００６７】
また、前述の実施の形態（１）、（２）同様に、第１のネジ部２１、第２のネジ部３３の両ネジ部又は、一方に位相が形成されて、フィクスチャー３に対して傾斜突出部２０の任意の傾斜突出方向での固定を提供することが可能となる。なお、その他の作用・効果は、前述の実施の形態（１）、（２）と同様に奏される。
【００６８】
図１１、図１２は、本発明に係る歯科用インプラントの実施の形態（５）を示すものである。
【００６９】
実施の形態（５）は、前述の実施の形態（１）〜（４）の角度付アバットメント２の第１のネジ部２１、フィクスチャー３の第２のネジ部３３の雄ネジ、雌ネジの関係を逆にし、第１のネジ部２１が雌ネジ、第２のネジ部３３が雄ネジに形成される実施形態である。
【００７０】
図１１に示す歯科用インプラント１ｂは、角度付アバットメント２ｂと、フィクスチャー３ｂと、義歯構造体４とで構成されている。
【００７１】
角度付アバットメント２ｂは、フィクスチャー３ｂに螺設される第１のネジ部２１ｂと、第１のネジ部２１ｂに一体に形成され、かつ、フィクスチャー３ｂから突出して所定の傾斜角度で形成される傾斜突出部２０とで構成されている。
【００７２】
第１のネジ部２１ｂは、フィクスチャー３ｂの第２のネジ部３３ｂが螺設可能な径に形成されるとともに、ネジ溝２３ｂが形成されている。さらに、フィクスチャー３ｂに当接する取付面２５が形成される構成となっている。また、傾斜突出部２０は、取付面２５に対して所定の傾斜角度で形成されるとともに、フィクスチャー３ｂに当接する当接面２６ｂが設けられている。
【００７３】
フィクスチャー３ｂは、歯肉２００の下部の骨（顎骨）に埋設される結合固定部３１と、結合固定部３１に形成されて骨への埋設を螺設にて行うための埋設ネジ部３２と、角度付アバットメント２ｂの取付面２５に当接するとともに、位相の基準となる取付面３５と、傾斜突出部２０の当接面２６ｂに当接するテーパ面３６と、テーパ面３６の内側に角度付アバットメント２ｂの第１のネジ部２１ｂに螺設する第２のネジ部３３ｂとで構成され、第２のネジ部３３ｂには、ネジ溝３４ｂが形成され、ネジ溝３４ｂと取付面３５との間には逃げ部３７ｂが形成されている。
【００７４】
また、図１１における歯科用インプラント１ｂの位相は、前述の実施の形態（１）の図３に示した位相形成方法で同様に形成され、この場合、角度付アバットメント２ｂの取付面２５に当接する取付面３５が基準面としての役割を果たすため、角度付アバットメント２ｂの傾斜突出方向側の取付面３５からの所定距離の位相となる。さらには、前述の実施の形態（２）のように、目印部５０を形成することで、第１のネジ部２１ｂに位相を形成することも可能である。
【００７５】
図１２に示す歯科用インプラント１ｃは、角度付アバットメント２ｃと、フィクスチャー３ｃと、義歯構造体４とで構成されている。
【００７６】
角度付アバットメント２ｃは、フィクスチャー３ｃに螺設される第１のネジ部２１ｃと、第１のネジ部２１ｃに一体に形成され、かつ、フィクスチャー３ｃから突出して所定の傾斜角度で形成される傾斜突出部２０とで構成されている。
【００７７】
第１のネジ部２１ｃは、フィクスチャー３ｃの第２のネジ部３３ｃが螺設可能な径に形成されるとともに、ネジ溝２３ｃが形成されている。さらに、フィクスチャー３ｃに当接する当接面２６が設けられている。
【００７８】
フィクスチャー３ｃは、歯肉２００の下部の骨（顎骨）に埋設される結合固定部３１と、結合固定部３１に形成されて骨への埋設を螺設にて行うための埋設ネジ部３２と、角度付アバットメント２ｃの当接面２６が当接するとともに、位相の基準となるテーパ面３６と、角度付アバットメント２ｃの第１のネジ部２１ｃに螺設する第２のネジ部３３ｃとで構成され、第２のネジ部３３ｃには、ネジ溝３４ｃが形成され、ネジ溝３４ｃとテーパ面３６との間には逃げ部３７ｃが形成されている。
【００７９】
また、図１２における歯科用インプラント１ｃの位相は、前述の実施の形態（１）の図５に示した位相形成方法で同様に形成され、この場合、角度付アバットメント２ｃの当接面２６に当接するテーパ面３６が基準面としての役割を果たしている。
【００８０】
図１１、図１２に示した歯科用インプラント１ｂ、１ｃは、第１のネジ部２１ｂ、２１ｃが雌ネジ、第２のネジ部３３ｂ、３３ｃが雄ネジに形成された角度付アバットメントとフィクスチャーの取付固定構造を提供している。なお、その他の作用・効果は前述の実施の形態（１）〜（４）と同様に奏される。
【００８１】
以上、図示した実施の形態の外に、角度付アバットメント２の形状、フィクスチャー３との取付形態（テーパ面や取付面の形状）には制限されず、位相を備えるネジ部により、角度付アバットメント２の傾斜突出部２０の傾斜突出方向の調整が可能となる形状であればよい。
【００８２】
【発明の効果】以上のように、角度付アバットメントの第１のネジ部に形成されるネジ溝の切り初め位置と、フィクスチャーの第２のネジ部のネジ溝の切り初め位置とが相互に異なる位相で形成されるため、歯根として顎骨等に固定されるフィクスチャーに対して傾斜突出部の任意の傾斜突出方向での固定を提供することが可能となる。したがって、第１のネジ部と傾斜突出部とを一体に成形することが可能となり、角度付アバットメントに加わる応力（曲げ応力、せん断応力等モーメント）に対する強度が維持、向上されるとともに、第１のネジ部と傾斜突出部とを別々に構成する必要性がなく、構成部品点数の低減され、かつ、角度付アバットメントの損傷が防止される歯科用インプラントが提供される。
【００８３】
さらに、第１のネジ部と第２のネジ部とが相互に異なる位相となるように形成されることにより、第１のネジ部と傾斜突出部とが一体に成形され、製作コストの低下及びインプラント療法の安定性を向上させるとともに、衛生面においても、雑菌等の進入要因（口臭等の原因）が低減する効果も奏され、例えば、角度付アバットメントの傾斜突出部の傾斜突出方向側の基準面に対して位相を設ければ、傾斜突出部の傾斜突出方向を目印に確実かつ容易に角度付アバットメントを選定することができ、確実なインプラント療法を提供できる歯科用インプラントが提供される。
【００８４】
また、フィクスチャーにおいても、フィクスチャーの第２のネジ部に位相を設けることで、請求項１と同様の効果が奏されるとともに、角度付アバットメントの第１のネジ部、フィクスチャーの第２のネジ部の両ネジ部に位相を形成することも可能で、両ネジ部の異なる位相の組合せにより、複数の傾斜突出部の傾斜突出方向を設計でき、選択・調整の幅が広がる。
【図面の簡単な説明】
【図１】本発明に係る歯科用インプラントの実施の形態（１）を示す断面図である。
【図２】本発明に係る歯科用インプラントの実施の形態（１）を示す斜視図である。
【図３】本発明に係る歯科用インプラントの実施の形態（１）における位相を示す図である。
【図４】図２のＸ部における要部拡大図である。
【図５】図４の別形態を表す要部拡大図である。
【図６】本発明に係る歯科用インプラントの実施の形態（１）の取付固定時を表す図である。
【図７】本発明に係る歯科用インプラントの実施の形態（２）を示す断面図である。
【図８】本発明に係る歯科用インプラントの実施の形態（３）を示す上面図である。
【図９】本発明に係る歯科用インプラントの実施の形態（３）を示す上面図である。
【図１０】本発明に係る歯科用インプラントの実施の形態（４）を示す断面図である。
【図１１】本発明に係る歯科用インプラントの実施の形態（５）を示す断面図である。
【図１２】図１１の別形態を表す断面図である。
【符号の説明】
１      歯科用インプラント
２          角度付アバットメント
３      フィクスチャー
４      義歯構造体
２０      傾斜突出部
２１      第１のネジ部
２３      第１のネジ部のネジ溝
３３      第２のネジ部
３４      第２のネジ部のネジ溝
Ａ      位相
Ｂ、Ｃ  位相目印部
【図１】
2005052175.tif 000003
【図２】
2005052175.tif 000004
【図３】
2005052175.tif 000005
【図４】
2005052175.tif 000006
【図５】
2005052175.tif 000007
【図６】
2005052175.tif 000008
【図７】
2005052175.tif 000009
【図８】
2005052175.tif 000010
【図９】
2005052175.tif 000011
【図１０】
2005052175.tif 000012
【図１１】
2005052175.tif 000013
【図１２】
2005052175.tif 000014